(57)【特許請求の範囲】
【請求項１】
所望の染毛色に対応する染毛剤を選択するのに用いられる染毛剤選択装置であって、
相異なる色に染色された複数の前記染毛束と、該染毛束を止め置く染毛束止め置き手段と、該染毛束と装置本体とを繋ぐ紐状部材と、該染毛束を頭部にかざした状態を映し得るように該装置本体に設けた鏡とを備えており、
前記染毛束が前記染毛束止め置き手段により止め置かれた状態で、該染毛束を収納する収納部が設けられており、
前記収納部の前面には、前記染毛束にそれぞれ対応する前記染毛剤を表示する製品表示部が設けられており、
前記染毛束止め置き手段は、前記装置本体の略中央部に水平に配設された棒状部材と、前記染毛束の結束部に設けられ且つ該棒状部材に係止される係止部とからなる係止手段であり、
前記棒状部材には、前記染毛束が該棒状部材に所定間隔を置いて係止されるように、仕切りが設けられており、
前記収納部は、その空間が、前記棒状部材に設けられた前記仕切りの位置に合わせて仕切り板で仕切られている染毛剤選択装置。
【請求項２】
前記紐状部材は、螺旋状スプリングからなる請求項１記載の染毛剤選択装置。
【請求項３】
前記鏡は、前記装置本体の底部に対する傾斜角度を可変自在に設けられている請求項１又は２に記載の染毛剤選択装置。
【請求項４】
前記装置本体の底部に磁石が設けられている請求項１〜３の何れかに記載の染毛剤選択装置。
【請求項５】
相異なる色に染色された複数の染毛束から所望の染毛束を選択し得るように、請求項１記載の染毛剤選択装置に繋がれた複数の該染毛束から一又は二以上の染毛束を繋がれたままそれぞれ個別に選択し、選択した染毛束を頭部にかざし、このかざした状態を該染毛剤選択装置に設けられた鏡に映すことにより、所望の染毛束の色に対応する染毛剤を選択する染毛剤選択方法。
【発明の詳細な説明】
【０００１】
【発明の属する技術分野】
本発明は、染毛剤を購入しようとする者が所望の染毛色に対応する染色剤を選択するのに用いられる染色剤選択装置及び方法に関し、詳細には、相異なる色に染色された染毛束（サンプル）の中から所望の染毛束を選択し、該染毛束の色に対応する染毛剤を容易且つ確実に選択できる染毛剤選択装置及び方法に関する。
【０００２】
【従来の技術及び発明が解決しようとする課題】
従来より、白髪染め等の染毛用として種々の色の染毛剤（ヘアカラー）が製造・販売されている。染毛剤は、使用者の好み等に合わせて種々の色が用意（ラインアップ）されており、特に黒に近い色については、相互に微妙に色の異なる染毛剤が用意されている。
また、染毛剤の販売用の陳列棚には、通常、染毛剤で染色した髪の色の具合が判るように、染毛剤で染色した毛髪（人工毛髪）を束にした「染毛束」（サンプル）が用意されている。
【０００３】
しかし、染毛剤のパッケージは、一般的に、陳列棚に陳列枠体を介して陳列されており、染毛束は、一般的に、該陳列枠体の正面部分に固着され、垂れ下がった状態で展示されている。
そのため、染毛束の中から所望の色に染色された染毛束を選択するには、染毛束を見て、自分の頭髪がその染毛束と同じ色で染色されたことを想像（イメージ）して、所望の染毛束を選択する必要があり、それに基づき所望の染毛剤を選択していた。このような選択方法では、実際に頭髪を染毛剤を染色した後に、購入した染毛剤が所望の色のものではないことに気付くことが多い。
【０００４】
また、染毛束は、前記陳列枠体の正面部分から垂れ下がった形態で展示されているため、該染毛束が下段の陳列棚に陳列されている商品を隠してしまうという問題もあった。
【０００５】
従って、本発明の目的は、所望の染毛色に対応する染毛剤を容易且つ確実に選択することのできる染毛剤選択装置及び方法を提供することにある。
【０００６】
【課題を解決するための手段】
本発明は、所望の染毛色に対応する染毛剤を選択するのに用いられる染毛剤選択装置であって、相異なる色に染色された複数の前記染毛束と、該染毛束を止め置く染毛束止め置き手段と、該染毛束と装置本体とを繋ぐ紐状部材と、該染毛束を頭部にかざした状態を映し得るように該装置本体に設けた鏡とを備えており、前記染毛束が前記染毛束止め置き手段により止め置かれた状態で、該染毛束を収納する収納部が設けられており、前記収納部の前面には、前記染毛束にそれぞれ対応する前記染毛剤を表示する製品表示部が設けられており、前記染毛束止め置き手段は、前記装置本体の略中央部に水平に配設された棒状部材と、前記染毛束の結束部に設けられ且つ該棒状部材に係止される係止部とからなる係止手段であり、前記棒状部材には、前記染毛束が該棒状部材に所定間隔を置いて係止されるように、仕切りが設けられており、前記収納部は、その空間が、前記棒状部材に設けられた前記仕切りの位置に合わせて仕切り板で仕切られている染毛剤選択装置を提供することにより、上記目的を達成したものである。
また、本発明は、相異なる色に染色された複数の染毛束から所望の染毛束を選択し得るように、前記染毛剤選択装置に繋がれた複数の該染毛束から一又は二以上の染毛束を繋がれたままそれぞれ個別に選択し、選択した染毛束を頭部にかざし、このかざした状態を該染毛剤選択装置に設けられた鏡に映すことにより、所望の染毛束の色に対応する染毛剤を選択する染毛剤選択方法を提供するものである。
【０００７】
【発明の実施の形態】
以下、本発明の染毛剤選択装置を、その好ましい一実施形態について説明する。
まず、収納部の構成が本発明とは異なる参考実施形態の染毛剤選択装置ついて図面を参照しながら説明し、次に、本発明の一実施形態の染毛剤選択装置における収納部の構成について説明する。
参考実施形態の染毛剤選択装置は、図１及び図２に示すように、所望の染毛色に対応する染毛剤を選択するのに用いられる染毛剤選択装置１であって、相異なる色に染色された複数の前記染毛束２，２・・・と、該染毛束２を止め置く係止手段（染毛束止め置き手段）４と、該染毛束２と装置本体３とを繋ぐ紐状部材５と、該染毛束２を頭部にかざした状態を映し得るように該装置本体３に設けた鏡７とを備えている。
【０００８】
参考実施形態の染毛剤選択装置１における各染毛束２は、多数本の人工毛髪２１それぞれを所定の染毛剤で染色し、染色された該人工毛髪２１を束ね、その端部を結束部２２により結束して形成されている。各染毛束２は、それぞれ相異なる色に染色されているが、一つの染毛束２を構成する人工毛髪２１は、全て同色に染色されている。
一束の染毛束２を構成する人工毛髪２１の本数は、５０〜５００本が好ましく、特に５０〜２５０本が好ましく、また、染毛束２の長さ（結束部２２を含む）は、５〜２０ｃｍが好ましく、特に５〜１５ｃｍが好ましい。
【０００９】
装置本体３は、図１に示すように、板状の底部３１と、該底部３１から立設する背面壁３２と、該底部３１から立設する一対の側面壁３３，３３とを主体として形成されている。また、一対の側面壁３３，３３の間には、背面壁３２と平行に且つ底部３１から離間して、中間壁３４が設けられており、一対の側面壁３３，３３の上部には、一対の鏡支持部３３ａ，３３ａが形成されている。
また、装置本体３の正面下部には、背面壁３２と平行に且つ底部３１から立設して正面下壁３５が設けられている。そして、該正面下壁３５、一対の側面壁３３の下部、背面壁３２及び底部３１からなる収納部８が形成されている。
この収納部８は、前記染毛束２が前記係止手段（染毛束止め置き手段）４により止め置かれた状態で、全ての該染毛束２を収納することができるようになっている。
収納部８の正面下壁３５の前面には、製品表示部３６が設けられており、該製品表示部３６に設けられた表示３６ａにより、５束の染毛束２それぞれが、どの染毛剤に対応するかが判るようになっている。
前記装置本体３の底部３１に磁石（図示せず）が設けられており、陳列棚がスチール製等の磁石が吸着し得る材質からなる場合には、染毛剤選択装置１を陳列棚に強固に吸着させることができるようになっている。
尚、背面壁３２の後方のスペースは、染毛剤のパッケージのストックの仮置き場等に使用することができる。
【００１０】
前記染毛束止め置き手段としての係止手段４は、前記装置本体３の略中央部に水平に配設された棒状部材４１と、前記染毛束２の結束部２２に設けられ且つ該棒状部材４１に係止される係止部４２とからなる。
棒状部材４１は、その両端部が屈曲されて中間壁３４に埋込み固定されている。また、係止部４２は、図２に示すように、染毛束２の結束部２２に形成され、棒状部材４１に係止し得るようになっている。
また、前記棒状部材４１には、樹脂製の円盤状の仕切り９が、前記染毛束２が該棒状部材４１に所定間隔を置いて係止されるように設けられている。
【００１１】
前記紐状部材５は、螺旋状スプリングからなり、その一端は、染毛束２の結束部２２に連結されており、その他端は、装置本体３の背面壁３２に固定されている。
前記紐状部材５は、その伸長時（使用時）の長さが、鏡７に頭部や染毛束２を映しながら所望の染毛束２を選択するのに十分な長さであることが好ましく、その収縮時（不使用時）の長さが、染毛束２を棒状部材４１に止め置く際に邪魔にならない程度の長さであることが好ましい。
【００１２】
前記鏡７は、前記装置本体３の底部３１に対する傾斜角度を可変自在に、側面壁３３の鏡支持部３３ａに支持されて設けられており、染毛束２を選択する者の身長等に合わせて、該鏡７を適当な角度に傾斜させることができるようになっている。鏡７の大きさは、選択した染毛束２を頭部にかざした状態を映し得る大きさとしてある。
【００１３】
上述したように構成された参考実施形態の染毛剤選択装置１は、図３に示すように、陳列された染毛剤のパッケージＢの横に並ぶように、陳列棚Ａに載置される。
【００１４】
参考実施形態の染毛剤選択装置１は、次のように使用される。
先ず、図３に示すように、前記染毛剤選択装置１に前述したように繋がれた複数（５本）の染毛束２から一の染毛束２を繋がれたまま選択する。次に、図４に示すように、選択した染毛束２を頭部６にかざし、このかざした状態を該染毛剤選択装置１に設けられた鏡７に映す。この操作を、所望の色に染色された染毛束２を選択できる迄繰り返す。この繰り返し操作により、所望の色に染色された染毛束を決定し、該染毛束２の色に対応する染毛剤を選択することができる。
【００１５】
このように、参考実施形態の染毛剤選択装置１によれば、相異なる色に染色された染毛束２の中から、自分の頭部６に染毛束２にかざした状態を鏡７に映しながら、所望の色に染色された染毛束２を判断することができるので、この染毛束２の色に基づき、所望の染毛色に対応する染毛剤を容易且つ確実に選択することができる。
また、染毛束２の長さが長い場合でも、染毛束２を係止手段４に止め置くときに、収納部８に収納することができるので、染毛束２が下段の陳列棚の商品を隠すことがない。
本発明の一実施形態の染毛剤選択装置は、前述した参考実施形態に比して、収納部８が、その空間を棒状部材４１に設けられた仕切り９の位置に合わせて、仕切り板（図示せず）で仕切る構成とされている点が異なる。それ以外の構成は、参考実施形態と同様である。本実施形態の染毛剤選択装置によれば、参考実施形態と同じ効果が奏される他、収納部８内において隣接する染毛束２同士が絡み付くことがないという効果も奏される。
【００１６】
以上、本発明の染毛剤選択装置を、その好ましい一実施形態について説明したが、本発明の染毛剤選択装置は、前述した実施形態に制限されることなく、本発明の趣旨を逸脱しない限り、下記のように適宜変更が可能である。
【００１７】
染毛束の束数は、染毛剤の色の種類、染毛剤選択装置の大きさ等に応じて増減することができる。
紐状部材は、染毛束を適宜頭部にかざして鏡を見ることができる長さがあれば、螺旋状スプリングに限定されず、通常の紐、鎖状部材等を用いることができ、また、ゴム等の伸縮性を有するものを用いることもできる。また、紐状部材の固定箇所は、背面壁３２に限定されず、側面壁３３、中間壁３４や、棒状部材４１等でもよい。
棒状部材は、対向する側面壁３３，３３の間に横架した構成とすることができる。
【発明の効果】
本発明の染毛剤選択装置及び方法によれば、所望の染毛色に対応する染毛剤を容易且つ確実に選択することができる。
【図面の簡単な説明】
【図１】  本発明の参考実施形態の染毛剤選択装置を示す斜視図である。
【図２】  図１に示す状態から、染毛束の一部の棒状部材への係止を解いた状態を示す図である。
【図３】  本発明の参考実施形態の染毛剤選択装置の陳列棚への載置状態を示す図である。
【図４】  本発明の参考実施形態の染毛剤選択装置を用いて染毛剤を選択するにあたり、染毛束を頭部にかざしている状態を示す図である。
【符号の説明】
１  染毛剤選択装置
２  染毛束
２１  人工毛髪
２２  結束部
３  装置本体
３１  底部
３２  背面壁
３３  側面壁
３３ａ  鏡支持部
３４  中間壁
３５  正面下壁
４  係止手段（染毛束止め置き手段）
４１  棒状部材
４２  係止部
５  紐状部材
６  頭部
７  鏡
８  収納部
９  仕切り
【図３】
0003705776.tif 000002
【図４】
0003705776.tif 000003
【図１】
0003705776.tif 000004
【図２】
0003705776.tif 000005